(57)【要約】【課題】  本発明は、挿入されたディスクが確実に装置内を搬送される空間を確保しつつターンテーブルとクランパとの挟着動作により必要とされる空間を可能なかぎり小さくして、薄型化を達成することができるディスク装置を提供することを目的する。【解決手段】  本発明のディスク装置は、固定フレームに弾性部材を介して保持されたフローティングユニットがディスク状記録媒体を挟着するためのクランパを有するクランパ部とターンテーブルを有するディスク記録再生駆動部とを持ち、ディスク状記録媒体の挟着時において前記クランパの一部と前記ターンテーブルの一部が互いに収納されるよう構成されている。【選択図】図８
2005122857.tif 000002
【特許請求の範囲】
【請求項１】
固定部となる固定フレーム、及び
前記固定フレームに弾性部材を介して前記固定フレームの内部に配置され、ディスク状記録媒体の記録及び／又は再生を行うフローティングユニットを具備し、
前記フローティングユニットがディスク状記録媒体を挟着するためのクランパを有するクランパ部とターンテーブルを有するディスク記録再生駆動部とを持ち、
ディスク状記録媒体の挟着時において前記クランパの一部と前記ターンテーブルの一部が互いに収納されるよう構成されたことを特徴とするディスク装置。
【請求項２】
クランパ部が、フローティングユニットのシャーシに回動可能に接続されたクランパベースと、前記クランパベースに弾性体のクランプアームを介して接続又は一体化されたクランパ保持部と、前記クランパ保持部に対してディスク状記録媒体の回転中心近傍において回転可能に係合したクランパと、を有する請求項１に記載のディスク装置。
【請求項３】
挟着されたディスク状記録媒体における中心孔の内面位置より内側において、クランパ保持部のツメとクランパのフックが係合するよう構成され、当該係合位置のクランパがターンテーブルの軸部に収納されるよう形成された請求項１に記載のディスク装置。
【請求項４】
クランパの中心部分にフック部が形成されており、前記フック部が等間隔で同一円周上に形成された複数のフックと、ディスク状記録媒体の回転中心軸上に形成され、ディスク状記録媒体の挟着時にクランパ保持部と当接する突起とを有する請求項２に記載のディスク装置。
【請求項５】
ターンテーブルが、ディスク状記録媒体の位置決めとなる軸部を有し、前記軸部にクランパ保持部のツメとクランパのフックとの係合位置と対応する位置に円周溝が形成され、ディスク状記録媒体の挟着時に前記円周溝の内部に前記クランパの一部が収納されるよう構成された請求項３に記載のディスク装置。
【発明の詳細な説明】
【技術分野】
【０００１】
本発明は、ＣＤ、ＤＶＤ等のディスク状記録媒体の記録及び/又は再生を行うディスク装置に関し、特にディスク装置におけるディスク状記録媒体のディスククランプ機構に関する。
【背景技術】
【０００２】
近年、ＣＤ、ＤＶＤ等のディスク状記録媒体（以下、ディスクと略称する）を記録及び/又は再生するディスク装置が車に搭載され使用されている。このような車載用ディスク装置において、装置外部からの振動がディスクを載置するターンテーブルに伝わらないよう、ターンテーブルやスピンドルモータが実装されたシャーシは、弾性手段により保持されたフローティング構造となっている。このようなフローティングシャーシには、ターンテーブル上にディスクが確実に装着されるようディスククランプ機構が設けられている（例えば、特許文献１参照。）。
ディスク装置におけるディスククランプ機構は、ターンテーブル上に載置されたディスクをクランパの押圧動作により挟着するよう構成されている。
【０００３】
以下、添付の図面を参照しながら、従来のディスク装置の一例について説明する。
図１１及び図１２は、従来のディスク装置における主要な内部構成の動作を示す側面図である。図１１はディスクの装着途中の状態を示しており、図１２はクランパにより挟着されたディスクの再生状態を示している。
【０００４】
図１１において、ディスク装置に装着されるディスク１０１は、ディスクガイド１０２とガイドローラ１０３に案内されて、ディスク装置の内部に配設されたターンテーブル１０４の方向へ搬送される。このときクランパ１０５は、ターンテーブル１０４の上方、即ち離間した位置に配置されて、クランパ停止部１１３に当接している。クランパ１０５はクランパアーム１０６を介してフローティングシャーシ１０７に軸止されており、その軸に設けた付勢部材１０８によりクランパ１０５がターンテーブル１０４の方向に常に付勢されている。クランパアーム１０６には係合部１０９が形成されており、係合部１０９がクランパ駆動部１１０に当接して、クランパ１０５がターンテーブル１０４から離間するよう構成されている。そして、挿入されたディスク１０１がターンテーブル１０４の位置に搬送されたとき、クランパ駆動部１１０が移動して係合部１０９との当接状態が解除され、クランパ１０５は付勢部材の駆動力によりディスク１０１を介してターンテーブル１０４を押圧する。
【０００５】
図１２はクランパ１０５によりディスク１０１がターンテーブル１０４との間で挟着された状態を示している。図１２において、クランパ１０５とターンテーブル１０４とにより挟着されたディスク１０１は、スピンドルモータ１１１により回転して、光ヘッド１１２により記録又は再生される。
【特許文献１】特開平０９−１７０８１号公報
【発明の開示】
【発明が解決しようとする課題】
【０００６】
上記のように構成された従来のディスク装置において、クランパ１０５はクランパアーム１０６と遊動可能に係合しており、挿入されたディスクがクランパ１０５により確実に挟着されるよう構成されている。従来のディスク装置においては、クランプアーム１０６の作用点の寸法ばらつきや遊動状態のクランパ１０５の面ぶれを考慮して、ディスク搬送時のクランパ１０５の位置はターンテーブル１０４から多少長い距離を有して配置されるよう構成されている。したがって、この分野において、ディスク装置内のディスク搬送時におけるクランパ１０５のターンテーブルからの位置を可能な限り小さくすることが、ディスク装置における薄型化を達成するための１つの大きな課題となっていた。
本発明は、上記課題を解決することを目的として、挿入されたディスクが確実に装置内で搬送される空間を確保しつつ、ターンテーブルとクランパとの挟着動作により必要とされる空間を可能なかぎり小さくして、薄型で低コストのクランプ機構を有するディスク装置を提供することを目的としてなされたものである。
【課題を解決するための手段】
【０００７】
本発明のディスク装置は、請求項１に記載したように、固定部となる固定フレーム、及び
前記固定フレームに弾性部材を介して前記固定フレームの内部に配置され、ディスク状記録媒体の記録及び／又は再生を行うフローティングユニットを具備し、
前記フローティングユニットがディスク状記録媒体を挟着するためのクランパを有するクランパ部とターンテーブルを有するディスク記録再生駆動部とを持ち、
ディスク状記録媒体の挟着時において前記クランパの一部と前記ターンテーブルの一部が互いに収納されるよう構成されている。このように構成された本発明のディスク装置は、挿入されたディスクが確実に装置内で搬送される空間を確保しつつ、ターンテーブルとクランパとの挟着動作により必要とされる空間を実質的に小さくしている。
【０００８】
また、本発明のディスク装置は、請求項２に記載したように、請求項１のディスク装置のクランパ部が、フローティングユニットのシャーシに回動可能に接続されたクランパベースと、前記クランパベースに弾性体のクランプアームを介して接続又は一体化されたクランパ保持部と、前記クランパ保持部に対してディスク状記録媒体の回転中心近傍において回転可能に係合したクランパとを有する。このように構成された本発明のディスク装置は、クランパとクランパ保持部との係合状態を小さなクリアランスで係合させることができ、ターンテーブルとクランパとの挟着動作により必要とされる空間を小さくしている。
【０００９】
また、本発明のディスク装置は、請求項３に記載したように、請求項１のディスク装置の挟着されたディスク状記録媒体における中心孔の内面位置より内側において、クランパ保持部のツメとクランパのフックが係合するよう構成され、当該係合位置のクランパがターンテーブルの軸部に収納されるよう形成されている。このように構成された本発明のディスク装置は、クランパ保持部のツメとクランパのフックとの係合のためのクリアランスを小さくすることができ、ターンテーブルとクランパとの挟着動作により必要とされる空間を小さくしている。
【００１０】
また、本発明のディスク装置は、請求項４に記載したように、請求項２のディスク装置のクランパの中心部分にフック部が形成されており、前記フック部が等間隔で同一円周上に形成された複数のフックと、ディスク状記録媒体の回転中心軸上に形成され、ディスク状記録媒体の挟着時にクランパ保持部と当接する突起とを有している。このように構成された本発明のディスク装置は、クランパが確実にターンテーブルとクランパとの挟着動作により必要とされる空間を小さくして、クランパがクランパ保持部と確実に回転可能に係合する。
【００１１】
さらに、本発明のディスク装置は、請求項５に記載したように、請求項３のディスク装置のターンテーブルが、ディスク状記録媒体の位置決めとなる軸部を有し、前記軸部にクランパ保持部のツメとクランパのフックとの係合位置と対応する位置に円周溝が形成され、ディスク状記録媒体の挟着時に前記円周溝の内部に前記クランパの一部が収納されるよう構成されている。このように構成された本発明のディスク装置は、挟着時のターンテーブルとクランパとに専有される空間を小さくして、薄型のクランプ機構を有するディスク装置を提供する。
【発明の効果】
【００１２】
本発明によれば、クランパとターンテーブルが、ディスク挟着時に互いにその一部を収納するよう構成されているため、ディスクが確実に搬送される空間を確保しつつ、ターンテーブルとクランパとの挟着動作により必要とされる空間を可能なかぎり小さくすることができ、ディスク装置全体を薄く構成することが可能となる。
本発明によれば、ディスクのターンテーブルへの装着を確実に行うことができ、クランパとクランパ保持部との係合を回転中心近傍で実現することにより、小さなクリアランスで係合させることを可能として、薄型で低コストのクランプ機構を有するディスク装置を提供することができる。
【発明を実施するための最良の形態】
【００１３】
以下、本発明に係るディスク装置の好適な実施の形態について添付の図面を参照して説明する。
【００１４】
《実施の形態１》
図１は実施の形態１のディスク装置における外観筐体を取り除いた状態を示す斜視図である。図２は図１に示したディスク装置に対してディスク状記録媒体であるディスクが挿入された状態を示す斜視図である。図３は図１に示したディスク装置の内部構成を示す斜視図である。
図１から図３に示す実施の形態１のディスク装置は、ディスク状記録媒体であるディスク１０１、例えば、ＣＤ、ＤＶＤ等の記録及び再生を行う機能を有しており、ディスク１０１がその直径方向に挿入されて装着され、当該ディスクの記録又は再生が行われる。
【００１５】
実施の形態１のディスク装置は、外観筐体に固定された上フレーム１と下フレーム９を有しており、その内部に複数の弾性体であるダンパーバネ９０により弾性的に支持されたフローティングユニット１０が設けられている。
【００１６】
図３に示すように、フローティングユニット１０には挿入されたディスク１０１をターンテーブル７０に圧接して挟着するクランパ部３と、挿入されたディスク１０１を搬送するディスク搬送部４と、ディスク搬送部４の駆動源等を有するディスク搬送駆動部５と、ディスク１０１を記録再生位置に配置するトラバースシャーシ６と、ディスク１０１を回転駆動してデータの記録又は再生を行うディスク記録再生駆動部７と、トラバースシャーシ６の裏面（ディスク載置面と反対の面）にはフローティングユニット１０内の各機構を駆動制御する電気回路を有するプリント基板８が設けられている。
上記のように構成されたフローティングユニット１０は、下フレーム９に設けられた電気的に絶縁性を有する複数のダンパーバネ９０により弾性的にフローティング状態で保持されている。
【００１７】
図４は上フレーム１を示す分解斜視図である。図４に示すように、上フレーム１には、その裏面にディスクガイド２が２箇所で回動可能に懸装されている。ディスクガイド２の２つの突起２ａ、２ａが上フレーム１に形成された係合孔１ａ，１ａにそれぞれ係合して、ディスクガイド２は上フレーム１に対してその係合部分を中心に装置前面側が所定角度回動するよう構成されている。
【００１８】
図５はクランパ部３を示す斜視図である。図５に示すように、クランパ部３は挿入されたディスク１０１を押圧するクランパ３０と、クランパ３０を遊動可能に保持するクランパ保持部３１と、クランパ保持部３１をクランパアーム３２を介してトラバースシャーシ６に回動可能に接続するクランパベース３３とを有している。クランパベース３３とクランパ保持部３１とを機械的に接続するクランパアーム３２は、弾性部材、例えば薄い金属板で構成されており、クランパ３０によるディスク挟着時の押圧力を規制している。クランパ３０はクランパ保持部３１により回転可能な係合状態で保持されている。
上記のように構成されたクランパ部３は、ディスク１０１が挿入されて搬送されているとき、ターンテーブル７０の上方、即ちターンテーブル７０から離間する位置に配置されて、上フレーム１に当接している。クランパ部３はクランパベース３３がフローティングユニット１０のトラバースシャーシ６に軸止されており、クランパベース３３に設けた付勢手段（図示省略）、例えばバネやクランク機構やカム機構によりクランパ３０は、軸を中心として回動される。ディスク１０１が記録再生位置以外のときには、クランパ３０は付勢手段により上フレーム１に当接して、クランパ３０がターンテーブル７０から離間する位置に配置される。そして、挿入されたディスク１０１がターンテーブル７０上の位置（記録再生位置）に搬送されたとき、前記付勢手段によりクランパ３０がディスク１０１を間にしてターンテーブル７０を押圧する。
【００１９】
図６は、実施の形態１のディスク装置におけるフローティングユニット１０のディスク搬送部４、ディスク搬送駆動部５、及びトラバースシャーシ６を示す斜視図である。
ディスク搬送部４は、挿入されたディスク１０１をディスクガイド２に押し付けて自転することにより搬送する搬送ローラ４０ａを持つローラアーム４０を有している。ローラアーム４０の搬送ローラ４０ａは、バネの付勢力により通常はディスクガイド２に押し付けられており、ディスク搬送が完了してディスク１０１が記録再生位置に到達したとき、ローラアーム４０の搬送ローラ４０ａが下方（ディスクガイド２から離間する方向）に移動するよう構成されている。
【００２０】
実施の形態１のディスク装置においては、ローラ４０ａの回転軸の方向が、ディスク装置のディスク挿入排出口１１のある前面に対して所定角度傾いている。これは、トラバースシャーシ６におけるディスク１０１の挿入及び排出の移動軌跡がディスク装置のディスク挿入排出口１１と平行な線に対して直交するよう、すなわち装置の上面から見たとき装置の前後方向に真っ直ぐ移動するよう構成されていないため、ディスクを斜行して搬送する必要があるためである。したがって、挿入されたディスク１０１は、ディスク挿入排出口１１のある装置前面に対して斜めに搬送されるよう構成されている。実施の形態１におけるトラバースシャーシ６には、ディスク搬送駆動部５のモータ５０がトラバースシャーシ６の前面であるディスク挿入排出口１１の近傍に配設されており、モータ５０の奥側に記録再生位置の一部が配置されている。このため、実施の形態１においては、ディスク挿入排出口１１からディスク１０１を斜めに搬送するよう構成されている。
【００２１】
図６に示すディスク搬送駆動部５は、ディスク搬送時（ディスクローディング時）にローラアーム４０の搬送ローラ４０ａを回転駆動するモータ５０と、ディスク挿入前及びディスク排出完了時（ディスクアンローディング時）にトラバースシャーシ６を上フレーム１に固定する制御スライダ５１と、ディスク搬送が完了してディスク１０１の記録再生位置の到達を検知するトリガーレバー５２と、モータ５０の回転を制御スライダ５１等に伝動するギヤ列５３と有している。なお、図６においては、トリガーレバー５２がトラバースシャーシ６内の後方位置に配置して示したが、トリガーレバー５２の一端は制御スライダ５１の後方端部に接触するよう構成されており、トリガーレバー５２の移動により制御スライダ５１が連動するよう構成されている。トリガーレバー５２の他端であるトラバースシャーシ６内の端部は、ディスク１０１が記録再生位置の上方に到達したときディスク１０１の縁部と当接する位置に配置されている。
上記のように構成されたディスク搬送部４とディスク搬送駆動部５とが装着されたトラバースシャーシ６には、ディスク記録再生駆動部７とプリント基板８が取り付けられている。トラバースシャーシ６の前面には、ローラアーム４０の前方に配置されディスク１０１が装置内に挿入されたことを検出するディスク検出レバー４１と、ディスク１０１の排出状態を検出するイジェクト検出レバー４２が設けられている。ディスク挿入検知レバー４１とイジェクト検出レバー４２は、バネの付勢力により常に上方向へ付勢されており、ディスク１０１が挿入されていないとき、上方の所定位置に配置されている。
【００２２】
図６に示すように、ディスク検出レバー４１は、ディスク挿入排出口１１の両側近傍に配設されており、両側に広がりその両端が少し持ち上がった羽根形状を有している。ディスク１０１がディスク挿入排出口１１から挿入されたとき、ディスク１０１の外縁部分が両側に配置されたディスク検出レバー４１のいずれか一方若しくはそれぞれの検出面（図６における上面）４１ａを押し広げて、検出レバー４１に形成された突起４１ｂがメカニカルスイッチを押圧する。このメカニカルスイッチが押圧されることにより、搬送ローラ４０ａの回転が始動し、その回転により挿入されたディスク１０１がトラバースシャーシ６における所望の位置に搬送される。
【００２３】
図７は、ディスク記録再生駆動部７、プリント基板８、及び下フレーム９を示す分解斜視図である。下フレーム９はトラバースシャーシ６等を有するフローティングユニット１０をダンパーバネ９０により保持している。図７に示すように、ディスク記録再生駆動部７はディスク１０１を載置して回転するターンテーブル７０、このターンテーブル７０を回転するスピンドルモータ７１、ディスク１０１の記録再生を行う光ピック部７２、及び光ピック部７２をディスク１０１の径方向に駆動する光ピック駆動モータ７３を有している。プリント基板８はトラバースシャーシ６の裏面に取りつけられており、トラバースシャーシ６に設けられた各機構を駆動制御する電気回路が形成されている。
【００２４】
ディスク挿入前の状態において、トラバースシャーシ６は制御スライダ５１とローラアーム４０のディスクガイド２への押し付け動作により上フレーム１と下フレーム９によるフレーム内部において下方位置にある。この状態において、ディスク１０１が挿入されると、ディスク１０１が搬送ローラ４０ａとディスクガイド２との間に入り記録再生位置に搬送される。ディスク１０１が記録再生位置に到達すると、トラバースシャーシ６はフローティング状態となり上昇して、ディスク１０１はターンテーブル７０とクランパ３０により挟着される。
次に、ディスク１０１の排出動作においては、ローラアーム４０のディスクガイド２への押し付け動作と制御スライダ５１により、ダンパーバネ９０が圧縮されてトラバースシャーシ６が下降して固定側フレーム内部の下方位置となる。
【００２５】
次に、実施の形態１のディスク装置におけるクランパ部３について詳細に説明する。
図８は実施の形態１におけるクランプ部３の詳細な構成を示す分解斜視図である。図８に示すように、クランプ部３は、クランパ３０とクランパ保持部３１とが別体で構成され、クランパ３０に形成されたフック部３５とクランパ保持部３１に形成されたツメ部３４とが回転可能に係合している。図９は、ターンテーブル７０上に配置されたクランパ保持部３１に係合したクランパ３０を示した断面図である。図１０は、クランパ３０がターンテーブル７０上のディスク１０１を挟着している状態を示す断面図である。図９及び図１０に示すように、クランパ３０にはその中心部分に盛り上がるよう形成されたフック部３５が設けられている。フック部３５の回転中心近傍にはフック３５ａが形成されている。実施の形態１においては、フック３５ａは回転中心軸方向に突出するよう形成されており、回転中心軸の回りに等間隔で複数箇所設けられている。フック部３５におけるフック３５ａの下方側（裏面側）は、ディスク挟着時にターンテーブル７０の軸部７０ａに形成された円周溝７０ｂ内に収納されるよう構成されている。また、フック部３５の回転中心軸近傍の下方側（裏面側）には凹状に穿かれた凹部３５ｃが形成されており、この凹部３５ｃの内部にターンテーブル７０の軸部７０ａの円周溝７０ｂの内周面を形成する凸部７０ｃがディスク挟着時に収納される。ここで軸部７０ａとは、ディスク１０１の位置決め孔１０１ａがディスク挟着時に嵌合する部分であり、軸部７０ａの外周上部はディスク１０１の装着が容易なように斜面に形成されている。
【００２６】
以上のように、実施の形態１のクランパ３０におけるフック部３５とターンテーブル７０の軸部７０ａが、ディスク挟着時に互いに一部が収納されるよう構成されている。これにより、クランパ３０は、ディスク挟着時におけるディスク面からの距離を短く、すなわち薄く構成することが可能となる。
図８及び図９に示すように、クランパ保持部３１における回転中心軸の近傍には、クランパ保持部３１を切り込んで折り曲げて形成されたツメ部３４が設けられている。このツメ部３４は、Ｌ字状でありその先端が円周方向へ突出するよう形成されている。ツメ部３４の先端部分は、クランパ３０のフック部３５のフック３５ａと係合可能なツメ３４ａとなっている。クランパ部３が持ち上がってディスク１０１を挟着していないとき、クランパ保持部３１のツメ３４ａはクランパ３０のフック３５ａと遊動可能に係合して持ち上げられている。
【００２７】
上記のように構成されたクランパ部３がディスク１０１を挟着しているとき、クランパ保持部３１の裏面がクランパ３０のフック部３５の回転中心軸上に形成された突起３５ｂの頂部と点接触している。したがって、クランパ部３がディスク１０１を挟着して回転しているとき、クランパ３０のみが接触抵抗の少ない点接触で押圧されてディスク１０１と共に回転する。
ディスク装置において、ディスク挿入時におけるクランパ３０は、ディスク１０１の挟着を確実にするため、ある程度の角度を有して「ふらつく」よう構成する必要がある。ここで「ふらつき」とはクランパ３０のディスク挟着面がディスク１０１の記録面に対して揺れることであり、「ふらつき」の大きさはクランパ保持部３１のツメ３４ａとクランパ３０のフック３５ａとの係合状態におけるクリアランス（隙間）により決定される。
【００２８】
上記のように、実施の形態１において、クランパ保持部３１のツメ３４ａはクランパ３０のフック３５ａと回転中心軸近傍において係合しているため、クランパ３０の所定の角度の「ふらつき」をツメ３４ａとフック３５ａとの係合間隔を小さいクリアランス（隙間）で確保することが可能となる。実施の形態１のディスク装置において、ディスク１０１の中心にある位置決め孔１０１ａより内側でクランパ保持部３１のツメ３４ａとクランパ３０のフック３５ａとが係合しており、ディスク１０１の回転中心に近い位置で係合している。
したがって、実施の形態１のディスク装置においては、ディスク１０１が確実に搬送される空間を確保しつつ、ターンテーブル７０とクランパ３０との挟着動作により必要とされる空間を可能なかぎり小さくすることが可能となる。また、実施の形態１のディスク装置は、ディスク１０１のターンテーブル７０への装着を確実に安定して行うことができる。さらに、実施の形態１においては、ディスク装着時のクランパ３０とクランパ保持部３１との係合状態を小さなクリアランスで構成することが可能となり、クランパ３０の「ふらつき」を小さくして、薄型で低コストのクランプ機構を有するディスク装置となる。
【００２９】
上記のように構成された実施の形態１のディスク装置の動作について説明する。
実施の形態１のディスク装置に対してディスク１０１がそのディスク挿入排出口１１から挿入されると、ディスク検出レバー４１がディスク１０１に押し下げられて、ディスク１０１の挿入が検知される。ディスク１０１の挿入が検知されると、ローラアーム４０の搬送ローラ４０ａは上フレーム１のディスクガイド２に押しつけたままの状態でディスク１０１を間に挟み込み自転する。その結果、ディスク１０１はディスク装置内部のディスク記録再生位置に搬送される。このとき、ディスク搬送駆動部５における制御スライダ５１が上フレーム１と当接しており、トラバースユニット６の移動を制限している。
【００３０】
実施の形態１のディスク装置において、ローラアーム４０がディスク挿入排出口１１、すなわち装置前面に対して斜行して取り付けられているため、ディスク１０１は装置前面に対して斜めに挿入される。これは、図６に示すように、ディスク挿入排出口１１の装置に向いて左側にモータ５０が配設されており、かつディスク記録再生位置の一部がそのモータ５０の奥側に配置されているためである。このように構成されているため、トラバースシャーシ６における各機構が効率的、かつ有機的に配置されている。
【００３１】
ディスク１０１がディスク記録再生位置に達すると、トリガーレバー５２とディスク１０１が接触し、ローラアーム４０の回転が停止し、ローラアーム４０がディスク側へ下降する。このローラアーム４０のディスク側への下降動作により、ローラアーム４０の搬送ローラ４０ａと接触しているディスクガイド２も同様に下降動作する。ディスクガイド２は上フレーム１に懸装されているため、その係合位置を中心として回動し、ディスク挿入排出口１１の一部を塞ぎ、さらなるディスクの挿入が禁止される。また、トリガーレバー５２がディスク１０１と接触することにより、制御スライダ５１がディスク１０１の挿入方向と逆の方向へ移動する。このように制御スライダ５１が移動することにより、制御スライダ５１と上フレーム１との当接状態が外れ、トラバースユニット６はダンパーバネ９０により弾性的に指示された状態、すなわちフローティングユニット１０がフローティング状態となる。このフローティング状態において、クランパ部３のクランパ３０が押し下げられディスク記録再生位置のディスク１０１をターンテーブル７０とにより挟着する。
上記のようにディスク１０１がクランパ３０とターンテーブル７０とにより完全に挟着されると、ディスク１０１が回転すると共に光ピック部７２が移動してディスク１０１の記録又は再生が行われる。
【００３２】
ディスク１０１に対する記録又は再生動作が終了し、例えばディスク排出指令が装置外部から入力されたとき、ディスク搬送駆動部５の制御スライダ５１が移動して、ローラアーム４０が持ち上げられてディスク１０１を上フレーム１のディスクガイド２に押し付ける。このとき、制御スライダ５１と上フレーム１とが当接し、トラバースユニット６の移動を制限する。このとき、ディスクガイド２は持ち上げられるため、ディスク挿入排出口１１は開放状態となる。
上記の状態において、ローラアーム４０の搬送ローラ４０ａが回転して、ディスク１０１をディスク挿入排出口１１から排出する。ディスク１０１の排出状態は、トラバースシャーシ６に設けたイジェクト検出レバー４２により検知される。このイジェクト検出レバー４２は、ディスク挿入排出口１１の両側近傍に配設されたディスク検出レバー４１と同様に、端側が少し持ち上がった羽根形状を有している。ディスク１０１がディスク挿入排出口１１から排出されるとき、ディスク１０１の外縁部分がイジェクト検出レバー４２の検出面（図６における上面）４２ａを押し下げており、ディスク１０１が完全にディスク挿入排出口１１から排出されたとき、イジェクト検出レバー４２の端部が持ち上がり、ディスク１０１の排出動作が終了したことを検知する。このように、ディスク１０１の排出動作が終了したことにより、ローラアーム４０の回転が停止し、ローラアーム４０はバネの力により上方へ移動して、ディスクガイド２と下フレーム９とに係止される。そして、ディスク１０１の排出動作が完了する。
なお、上記の実施の形態においては、記録及び再生が可能なディスク装置について説明したが、本発明はこのような装置に限定されるものではなく、ディスク状記録媒体の記録装置又は再生装置等のディスク装置においても適用可能である。
【産業上の利用可能性】
【００３３】
発明は、ＣＤ、ＤＶＤ等のディスク状記録媒体の記録又は再生を行う小型のディスク装置に特に有用であり、装置に挿入されたディスクを確実に挟着できる薄型のディスク装置を提供できる。
【図面の簡単な説明】
【００３４】
【図１】本発明に係る実施の形態１のディスク装置における外観筐体を取り除いた状態を示す斜視図である。
【図２】図１に示したディスク装置に対してディスク状記録媒体の挿入途中状態を示す斜視図である。
【図３】図１に示したディスク装置の内部構成を示す斜視図である。
【図４】実施の形態１における上フレーム１を示す分解斜視図である。
【図５】実施の形態１におけるクランパ部３を示す斜視図である。
【図６】実施の形態１のディスク装置におけるフローティングユニット１０のディスク搬送部４、ディスク搬送駆動部５、及びトラバースシャーシ６を示す斜視図である。
【図７】実施の形態１のディスク装置におけるディスク記録再生駆動部７とプリント基板８、及びトラバースシャーシ６をダンパーバネ９０により保持する下フレーム９０を示す分解斜視図である。
【図８】実施の形態１におけるクランプ部３の詳細な構成を示す分解斜視図である。
【図９】実施の形態１におけるターンテーブル７０上に配置されたクランパ保持部３１に係合したクランパ３０示した断面図である。
【図１０】実施の形態１におけるクランパ３０がターンテーブル７０上のディスク１０１を挟着している状態を示す断面図である。
【図１１】従来のディスク装置における主要な内部構成の動作を示す側面図であり、ディスク状記録媒体の装着時の状態を示している。
【図１２】従来のディスク装置における主要な内部構成の動作を示す側面図であり、クランパにより挟着されたディスク上記録媒体の再生状態を示している。
【符号の説明】
【００３５】
１  上フレーム
２  ディスクガイド
３  クランパ部
４  ディスク搬送部
５  ディスク搬送駆動部
６  トラバースシャーシ
７  ディスク記録再生駆動部
８  プリント基板
９  下フレーム
１０  フローティングユニット
１１  ディスク挿入排出口
１０１  ディスク  
【図１】
2005122857.tif 000003
【図２】
2005122857.tif 000004
【図３】
2005122857.tif 000005
【図４】
2005122857.tif 000006
【図５】
2005122857.tif 000007
【図６】
2005122857.tif 000008
【図７】
2005122857.tif 000009
【図８】
2005122857.tif 000010
【図９】
2005122857.tif 000011
【図１０】
2005122857.tif 000012
【図１１】
2005122857.tif 000013
【図１２】
2005122857.tif 000014